(57)【要約】【課題】前面パネルを前倒姿勢等の所定の姿勢に維持する。【解決手段】スライダ４がシャーシ３に対して前後に移動可能に設けられ、スライダ４の前端部に揺動桿６の中間部が回転可能に連結され、ねじりバネ９２によって揺動桿６が反時計回りに付勢されている。揺動桿６の前端部に表示パネル２の下端部が回転可能に連結され、表示パネル２の上端部がガイド７１によって上下に案内されている。揺動桿６の後端部には摺動ローラ６１が取り付けられ、摺動ローラ６１の後方に第１傾斜面８１及び第２傾斜面８３が配設されている。また、水平保持面８４が第２傾斜面８３の後端に連続して形成され、摺動ローラ６１が水平保持面８４に接する場合に、揺動桿６とスライダ４の連結部と摺動ローラ６１とを結ぶ線に対して水平保持面８４が平行である。【選択図】図４
2007106296.tif 000002
【特許請求の範囲】
【請求項１】
シャーシと、
車載用電子機器の前面パネルの下部に回転可能に連結された揺動部材と、
前記シャーシに対して前後に移動可能に設けられ、前記揺動部材と前記前面パネルの連結部よりも後方において前記揺動部材に回転可能に連結された移動部材と、
前記シャーシに固定され、前記前面パネルの上部を上下に案内するガイドと、
前記揺動部材と前記移動部材の連結部よりも後方において前記揺動部材に取り付けられた摺動子と、
前記摺動子の後方に配置され、前方斜め下を向いた傾斜面と、
前記傾斜面の後端に連続して形成された保持面と、
前記摺動子が前記傾斜面に接する場合に、前記摺動子が前記傾斜面に押し付けられる方向の回転力を前記揺動部材に付勢する付勢手段と、を備え、
前記摺動子が前記保持面に接する場合に、前記揺動部材と前記移動部材の連結部と前記摺動子とを結ぶ線に対して前記保持面が平行であることを特徴とする車載用電子機器の前面パネルの開閉装置。
【請求項２】
シャーシと、
車載用電子機器の前面パネルの下部に回転可能に連結された揺動部材と、
前記シャーシに対して前後に移動可能に設けられ、前記揺動部材と前記前面パネルの連結部よりも後方において前記揺動部材に回転可能に連結された移動部材と、
前記シャーシに固定され、前記前面パネルの上部を上下に案内するガイドと、
前記揺動部材と前記移動部材の連結部よりも後方において前記揺動部材に取り付けられた摺動子と、
前記摺動子の後方に配置され、前方斜め下を向いた傾斜面と、
前記傾斜面の後端に連続して形成された保持面と、
前記摺動子が前記傾斜面に接する場合に、前記摺動子が前記傾斜面に押し付けられる方向の回転力を前記揺動部材に付勢する付勢手段と、を備え、
前記保持面が窪んだ状態に設けられ、前記摺動子が前記保持面に接する場合に、前記保持面の窪みに入り込むことを特徴とする車載用電子機器の前面パネルの開閉装置。
【発明の詳細な説明】
【技術分野】
【０００１】
本発明は、車載用電子機器の前面パネルの開閉装置に関する。
【背景技術】
【０００２】
カーナビゲーションシステム、カーオーディオ、車載テレビといった車載用電子機器においては、表示パネルが電子機器本体の前面に設けられ、表示パネルが前に倒伏することによって電子機器本体の前面が露出し、表示パネルが起立することで電子機器本体の前面が表示パネルに隠れるようになっている（例えば、特許文献１参照。）。しかしながら、表示パネルが前に倒伏すると、表示パネルの表示面が下を向き、ユーザが表示パネルの表示面を視認することができないという問題があった。
【０００３】
そこで、本出願人は、表示パネルの下端部を前後に移動可能に設け、表示パネルの上端部を上下に移動可能に設け、表示パネルの表示面が上に向くように表示パネルを後倒させる技術を開発している（例えば、特願２００４−３０３７７５、特願２００４−３１５２０４）。
【０００４】
具体的には、図１１に示すように、スライダ２０４がシャーシ２０３に対して前後に移動可能に設けられ、スライダ２０４の前端部に揺動桿２０６の中間部が回転可能に連結されている。揺動桿２０６の前端部に表示パネル２０２の下端部が回転可能に連結され、シャーシ２０３の前端部に弓なり状のガイド溝２０７が設けられ、表示パネル２０２の上端部がガイド溝２０７によって上下に案内される。ねじりバネ２０５によって揺動桿２０６が反時計回りに付勢され、揺動桿２０６の後端部には摺動ローラ２１０が設けられている。摺動ローラ２１０の後方にはローラガイド２０８が設けられ、ローラガイド２０８には傾斜面２０９が形成されている。この傾斜面２０９は前方斜め下を向き、後方に向かって下るように形成されている。この装置においては、スライダ２０４が前に移動することで、表示パネル２０２の表示面が上に向くように後ろに倒れ、スライダ２０４が後ろに移動することで、表示パネル２０２の表示面が前に向くように起立する。表示パネル２０２が起立した状態からスライダ２０４が更に後方に移動すると、摺動ローラ２１０が傾斜面２０９を摺動することで揺動桿６が時計回りに回転する。これにより、表示パネル２０２の下端部が後方に持ち上がりつつ、表示パネル２０２の上端部が前方斜め上に移動し、表示パネル２０２の表示面が前方斜め下を向いた状態で表示パネル２０２が前に倒れる。
【特許文献１】特開平７−２８５３９０号公報
【発明の開示】
【発明が解決しようとする課題】
【０００５】
ところで、表示パネル２０２の表示面が前方斜め下を向いた状態では、ねじりバネ２０５によって摺動ローラ２１０が上方に向かって傾斜面２０９に押し付けられている。従って、軽微な振動でも表示パネル２０２の自重により発生する力で摺動ローラ２１０が傾斜面２０９に沿って前に移動し、揺動桿２０６がねじりバネ２０５によって反時計回りに回転し、揺動桿２０６とともにスライダ２０４が前方に移動する。そのため、表示パネル２０２の表示面を前方斜め下に向いた状態に保持することができない。表示パネル２０２が前に倒れた状態で止めるために機械的又は電気的なブレーキ機構を設けることは、装置が大型化したり、構成部品が増えたりするので、好ましくない。
【０００６】
そこで、本発明は上記課題を解決しようとしてなされたものであり、本発明の目的はブレーキ機構を用いずに表示パネル２０２のような前面パネルを前倒姿勢等の所定の姿勢に維持することを目的とする。
【課題を解決するための手段】
【０００７】
以上の課題を解決するために、本発明においては、車載用電子機器の前面パネルの開閉装置が、シャーシと、車載用電子機器の前面パネルの下部に回転可能に連結された揺動部材と、前記シャーシに対して前後に移動可能に設けられ、前記揺動部材と前記前面パネルの連結部よりも後方において前記揺動部材に回転可能に連結された移動部材と、前記シャーシに固定され、前記前面パネルの上部を上下に案内するガイドと、前記揺動部材と前記移動部材の連結部よりも後方において前記揺動部材に取り付けられた摺動子と、前記摺動子の後方に配置され、前方斜め下を向いた傾斜面と、前記傾斜面の後端に連続して形成された保持面と、前記摺動子が前記傾斜面に接する場合に、前記摺動子が前記傾斜面に押し付けられる方向の回転力を前記揺動部材に付勢する付勢手段と、を備え、前記摺動子が前記保持面に接する場合に、前記揺動部材と前記移動部材の連結部と前記摺動子とを結ぶ線に対して前記保持面が平行であるという構成を採った。
【０００８】
また、車載用電子機器の前面パネルの開閉装置が、シャーシと、車載用電子機器の前面パネルの下部に回転可能に連結された揺動部材と、前記シャーシに対して前後に移動可能に設けられ、前記揺動部材と前記前面パネルの連結部よりも後方において前記揺動部材に回転可能に連結された移動部材と、前記シャーシに固定され、前記前面パネルの上部を上下に案内するガイドと、前記揺動部材と前記移動部材の連結部よりも後方において前記揺動部材に取り付けられた摺動子と、前記摺動子の後方に配置され、前方斜め下を向いた傾斜面と、前記傾斜面の後端に連続して形成された保持面と、前記摺動子が前記傾斜面に接する場合に、前記摺動子が前記傾斜面に押し付けられる方向の回転力を前記揺動部材に付勢する付勢手段と、を備え、前記保持面が窪んだ状態に設けられ、前記摺動子が前記保持面に接する場合に、前記保持面の窪みに入り込むという構成を採った。
【発明の効果】
【０００９】
本発明によれば、摺動子が保持面に接する場合に、揺動部材と移動部材の連結部と前記摺動子とを結ぶ線に対して保持面が平行であるので、摺動子が付勢手段によって保持面に押し付けられても保持面に平行な方向への分力が発生しない。そのため、摺動子が保持面に接していれば、摺動子が動かず、揺動部材も回転せず、移動部材も前後に動かないので、前面パネルが所定の姿勢で維持される。ブレーキ機構も用いずに前面パネルの姿勢を維持することができるので、装置の大型化や構成部品の増大を抑えることができる。
【００１０】
また、保持面が窪んだ状態に設けられ、摺動子がその保持面の窪みに入り込むので、摺動子が付勢手段によって保持面に押し付けられても、摺動子が動かない。そのため、揺動部材も回転せず、移動部材も前後に動かないので、前面パネルが所定の姿勢で維持される。ブレーキ機構も用いずに前面パネルの姿勢を維持することができるので、装置の大型化や構成部品の増大を抑えることができる。
【発明を実施するための最良の形態】
【００１１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１２】
図１〜図４は、車載用電子機器の表示パネル２を開閉する開閉装置１の側面図である。図１では、表示パネル２の表示面２２が上方を向いた状態であり、図２では、表示パネル２の表示面２２が斜め上前方を向いた状態であり、図２では、表示パネル２の表示面２２が前方を向いた状態であり、図４では、表示パネル２の表示面２２が前方斜め下を向いた状態である。
【００１３】
シャーシ３は、底板３１と、底板３１の左右両端部において垂直に立設された左右の側板３２とからなり、正面視してＵ字状に成している。このシャーシ３に車載用電子機器の本体が取り付けられ、電子機器本体の前面に表示部、ディスク挿入口、ボタン等が設けられている。また、表示パネル２は、液晶ディスプレイ又はエレクトロルミネッセンスディスプレイであり、電子機器本体の信号によって表示を行う。なお、表示パネル２の表示面２２にタッチパネルが張り付けられていても良いし、表示パネル２にボタン等の操作スイッチが設けられていても良い。
【００１４】
シャーシ３の底板３１上には第１のスライダ４（移動部材）が配設され、シャーシ３に設けられたガイドによってこの第１のスライダ４がシャーシ３に対して前後にスライド可能に設けられている。第１のスライダ４は、モータ、ラックアンドピニオン、ギア、クラッチ等から構成された駆動機構によって前後に移動される。
【００１５】
第１のスライダ４には第２のスライダ５が配設され、第２のスライダ５に形成された長溝が第１のスライダ４に形成されたピンに挿入されることによって、第２のスライダ５が第１のスライダ４に対して前後にスライド可能となっている。
【００１６】
第２のスライダ５の後端部には、バネ掛け部５１が一体形成され、一方、第１のスライダ４の後端部には、バネ掛け部４１が一体形成されている。バネ掛け部５１に弾性部材としての引張バネ９１の前端部が掛けられ、バネ掛け部４１に引張バネ９１の後端部が掛けられ、バネ掛け部４１とバネ掛け部５１との間に引張バネ９１が介在している。
【００１７】
第２のスライダ５の前端部には、上方に突出した爪５２が一体形成されている。爪５２よりも後方において、ロック突起５３が第２のスライダ５と一体となって形成されている。ロック突起５３は側面視して楔状に形成され、ロック突起５３の上縁が後方に向かって下るように傾斜している。
【００１８】
第１のスライダ４の前端部には、揺動桿６がその中間部において連結され、第１のスライダ４に対して揺動桿６がその連結部において左右方向の連結軸６３の回りに回転可能となっている。揺動桿６の連結軸６３には、付勢手段としてのねじりバネ９２が設けられ、このねじりバネ９２によって揺動桿６が図１の反時計回りに付勢され、揺動桿６の前端部の下面が第１のスライダ４の前端部に当接することによってねじりバネ９２による揺動桿６の回転が抑止されている。
【００１９】
揺動桿６の連結軸６３よりも後ろ側には、左右方向の軸回りに回転可能な摺動ローラ６１が側方に突出するよう取り付けられている。摺動ローラ６１よりも後方であって揺動桿６の後端部には、ロックピン６２が側方に突出するよう設けられている。
【００２０】
揺動桿６の前端部が表示パネル２の側面であってその下端部に連結され、表示パネル２に対して揺動桿６がその連結部において左右方向の軸回りに回転可能となっている。表示パネル２の側面であってその上端部には、ピン２１が凸設されている。一方、シャーシ３の側板３２の前端部には、ガイド板７が固定され、ガイド板７にガイド７１が溝状に凹設され、ピン２１がこのガイド７１に挿入されている。ガイド７１は、上下方向に延在するとともに後ろに凸となるよう緩やかに湾曲した縦ガイド部７２と、縦ガイド部７２の上端部に連続しているとともに縦ガイド部７２の上端部から斜め上に延び出た横ガイド部７３とからなる。
【００２１】
シャーシ３の側板３２には、ローラガイド８が固定されている。図５は、ローラガイド８の拡大図である。このローラガイド８には、前方斜め下を指向した第１傾斜面８１と、第１傾斜面８１の後端から連続して形成され、第１傾斜面８１に対して傾斜した保持面８２と、保持面８２の後端から連続して形成され、前方斜め下を指向した第２傾斜面８３と、第２傾斜面８３の後端から連続して形成された水平保持面８４とが形成されている。第１傾斜面８１は、後方に向かって下るように傾斜している。第２傾斜面８３も、後方に向かって下るように傾斜し、第１傾斜面８１よりも大きく傾斜している。また、ローラガイド８の下端部には、下方に突出したストッパ８５が形成されている。このストッパ８５は、第２のスライダ５の爪５２よりも後方にある。
【００２２】
図１、図２に示すように、表示パネル２のピン２１が縦ガイド部７２によって上下に案内される場合には、摺動ローラ６１が第１傾斜面８１及び第２傾斜面８３から前方に離れて、爪５２がストッパ８５から前方に離れ、第２のスライダ５は引張バネ９１によって第１のスライダ４と一体となって前後に移動可能となり、第２のスライダ５のロック突起５３の上縁がロックピン６２の下面に当接し、揺動桿６の前端部の下面がＡ点において第１のスライダ４の前端部に当接している。
【００２３】
図２に示すように、表示パネル２のピン２１が縦ガイド部７２の上端部に位置する場合には、爪５２がストッパ８５に当接することで第２のスライダ５の後方への移動が抑止され、第１のスライダ４が第２のスライダ５とは別体で後方へ移動可能となっている。
【００２４】
図２、図３に示すように、表示パネル２のピン２１が縦ガイド部７２から横ガイド部７３へ移動する場合には、爪５２によって第１のスライダ４が第２のスライダ５とは別体で後方へ移動可能とされ、ロックピン６２が第２のスライダ５のロック突起５３から後ろに離れ、ねじりバネ９２により揺動桿６が反時計回りに付勢されることで摺動ローラ６１が第１傾斜面８１に接し、摺動ローラ６１が第１傾斜面８１を摺動することによって、揺動桿６が連結軸６３の回りに回転可能となっている。
【００２５】
図３に示すように、表示パネル２の横ガイド部７２の後端に位置する場合には、摺動ローラ６１が保持面８２に当接している。
【００２６】
図３、図４に示すように、表示パネル２のピン２１が横ガイド部７３によって前後に案内される場合には、爪５２によって第１のスライダ４が第２のスライダ５とは別体で後方へ移動可能とされ、ねじりバネ９２により揺動桿６が反時計回りに付勢されることで摺動ローラ６１が第２傾斜面８３に接し、摺動ローラ６１が第２傾斜面８３を摺動することによって、揺動桿６が連結軸６３の回りに回転可能となっている。
【００２７】
図４に示すように、表示パネル２のピン２１が横ガイド部７３の前端に位置する場合には、摺動ローラ６１が水平保持面８４に当接している。
【００２８】
なお、ピン２１、第１のスライダ４、第２のスライダ５、揺動桿６、摺動ローラ６１、ロックピン６２、ガイド板７、ローラガイド８、引張バネ９１及びねじりバネ９２等は、表示パネル２の左右両側部に対称に設けられている。そして、両側の第１のスライダ４は一体構造となっている。
【００２９】
次に、開閉装置１の動作について説明する。
図１に示すように、第１のスライダ４がシャーシ３から前方に延び出た状態では、表示パネル２のピン２１がガイド７１の下端に位置し、表示パネル２が後ろに倒伏して、表示パネル２の表示面２２が上に向いている。また、第２のスライダ５の爪５２がローラガイド８のストッパ８５よりも前方に離れた位置にあり、揺動桿６の摺動ローラ６１がローラガイド８の第１傾斜面８１、保持面８２、第２傾斜面８３及び水平保持面８４から離れてローラガイド８よりも前に位置している。また、揺動桿６の前端部の下面がＡ点において第１のスライダ４の前端部に当接し、これにより揺動桿６が反時計回りに回転することが抑止され、揺動桿６のロックピン６２がロック突起５３の上縁に当接し、これにより揺動桿６が時計回りに回転することが抑止されている。このように揺動桿６がどちら向きにも回転しないようになっているので、表示パネル２のラトルノイズを防止することができ、表示パネル２の視認性が向上する。
【００３０】
そして、駆動機構によって第１のスライダ４が後方にスライド移動すると、揺動桿６も第１のスライダ４とともに後方に移動し、表示パネル２のピン２１がガイド７１の縦ガイド部７２に沿って上に移動し、これにより表示パネル２が起立し、表示パネル２の表示面２２が前に向いていく。この時、第２のスライダ５も引張バネ９１によって後方に引かれることで第１のスライダ４とともに後方に移動し、揺動桿６のロックピン６２がロック突起５３の上縁に当接した状態が保たれ、揺動桿６の前端部が第１のスライダ４の前端に当接した状態が保たれる。
【００３１】
そして、図２に示すように、ピン２１が縦ガイド部７２の上端部に位置したら、摺動ローラ６１が第１傾斜面８１の前端部に当接し、第２のスライダ５の爪５２がローラガイド８のストッパ８５に当接して係止する。そのため、駆動機構によって第１のスライダ４が更に後方にスライド移動すると、第２のスライダ５の後方への移動が抑止され、ロックピン６２がロック突起５３の上縁から離れ、揺動桿６が時計回りに回転可能となる。
【００３２】
駆動機構によって第１のスライダ４が更に後方に移動すると、摺動ローラ６１が第１傾斜面８１を摺動し、揺動桿６がねじりバネ９２に抗して時計回りに回転し、表示パネル２の下端部が後方及び上方に移動しながら、表示パネル２の表示面２２が前方を向くように表示パネル２が起立していく。そして、図３に示すように、摺動ローラ６１が保持面８２に位置したら、表示パネル２の表示面２２が前方を向く。図６は、図３の状態における揺動桿６の状態を示した図面である。図６に示すように、表示パネル２が起立して摺動ローラ６１が保持面８２に位置した状態では、摺動ローラ６１と連結軸６３を結ぶ線分Ｂが保持面８２と平行となる。そのため、摺動ローラ６１がねじりバネ９２によって保持面８２に押し付けられても、保持面８２に平行な方向への分力が発生しない。
【００３３】
駆動機構によって第１のスライダ４が更に後方に移動すると、摺動ローラ６１が第２傾斜面８３を摺動し、揺動桿６がねじりバネ９２に抗して時計回りに回転する。これにより、表示パネル２の下端部が後方及び上方に移動し、ピン２１が横ガイド部７３に沿って前方に移動し、表示パネル２が前に倒伏していく。
【００３４】
そして、駆動機構によって第１のスライダ４が更に後方に移動すると、図４に示すように、摺動ローラ６１が水平保持面８４に位置し、ピン２１が横ガイド部７３の前端部に位置し、表示パネル２の表示面２２が前方斜め下を向く。図７は、図４の状態における揺動桿６の状態を示した図面である。図７に示すように、表示パネル２が前に倒れて摺動ローラ６１が水平保持面８４に位置した状態では、摺動ローラ６１と連結軸６３を結ぶ線分Ｂが水平保持面８４と平行となる。そのため、摺動ローラ６１がねじりバネ９２によって水平保持面８４に押し付けられても、水平保持面８４に平行な方向への分力が発生しない。
【００３５】
図４の状態から第１のスライダ４が駆動機構によって前方に移動すると、摺動ローラ６１が水平保持面８４から第２傾斜面８３に移って、ねじりバネ９２によって摺動ローラ６１が第２傾斜面８３に押し当てられた状態で第２傾斜面８３を摺動する。これにより、揺動桿６が反時計回りに回転し、表示パネル２の下端部が前方及び下方に移動し、ピン２１が横ガイド部７３に沿って後方に移動し、表示パネル２が起立する。この時、第２のスライダ５が引張バネ９１によって後方に引張られているので、第１のスライダ４が前方に移動しても、第２のスライダ５が前方に移動しない。
【００３６】
摺動ローラ６が保持面８２に至った図３の状態から第１のスライダ４が駆動機構によって前方に移動すると、摺動ローラ６１がねじりバネ９２によって第１傾斜面８１に押し当てられた状態で第１傾斜面８１を摺動し、揺動桿６が反時計回りに回転し、表示パネル２の表示面２２が上を向くように表示パネル２が後倒する。
【００３７】
更に第１のスライダ４が駆動機構によって前方に移動すると、図２に示すように、ロックピン６２がロック突起５３の上縁に当接し、揺動桿６の前端部が第１のスライダ４の前端に当接する。また、図２の状態で引張バネ９１が自然長であるので、図２の状態から第１のスライダ４が駆動機構によって前方に移動すると、第２のスライダ５が第１のスライダ４と一体となって前方に移動する。この時、表示パネル２の下端部が前方に移動し、ピン２１が縦ガイド部７２に沿って下方に移動し、表示パネル２が後倒していく。そして、第１のスライダ４が前の限界位置まで移動したら、表示パネル２のピン２１がガイド７１の下端に位置し、表示パネル２の表示面２２が上を向く（図１参照）。
【００３８】
以上のように、本実施の形態によれば、図６に示すように摺動ローラ６１が保持面８２に接した場合に、摺動ローラ６１がねじりバネ９２によって保持面８２に押し付けられても、保持面８２に平行な方向への分力が発生しない。そのため、摺動ローラ６１が動かず、揺動桿６も回転せず、第１のスライダ４も前方に動かないので、表示パネル２が起立した姿勢を維持することができる。ブレーキ機構も用いずに表示パネル２の姿勢を維持することができるので、開閉装置１の大型化や構成部品の増大を抑えることができる。
【００３９】
図７に示すように摺動ローラ６１が水平保持面８４に接した場合も同様に、水平保持面８４に平行な方向への分力が生じないから、表示パネル２が前に倒れた姿勢を維持することができる。
【００４０】
図８〜図１０は、変形例としてのローラガイド８Ａ，８Ｂ，８Ｃを示した図面である。図８〜図１０では上記のローラガイド８と同一の部分に同一符号を付す。ローラガイド８Ａでは、第２傾斜面８３の後端に連続した保持面８４Ａが三角形状に上に窪み、ローラガイド８Ｂでは、第２傾斜面８３の後端に連続した保持面８４Ｂが円弧状に上に窪み、ローラガイド８Ｃでは、第２傾斜面８３の後端に連続した保持面８４Ｃが矩形状に上に窪んでいる。このようなローラガイド８Ａ、ローラガイド８Ｂ又はローラガイド８Ｃをローラガイド８の代わりにシャーシ３の側板に固定すると、ピン２１が横ガイド部７３の前端に位置した場合に、摺動ローラ６１が保持面８４Ａ、保持面８４Ｂ又は保持面８４Ｃの窪みに入り込む。そのため、摺動ローラ６１が動かず、揺動桿６も回転せず、第１のスライダ４も前方に動かないので、表示パネル２が前に倒れた姿勢を維持することができる。
【００４１】
なお、本発明は、上記実施の形態に限定されることなく、本発明の趣旨を逸脱しない範囲において、種々の改良並びに設計の変更を行っても良い。
【００４２】
上記実施形態では、前面パネルとして表示パネル２を例に挙げて説明したが、電子機器本体の前面を覆う蓋パネルを前面パネルとしても良い。
【００４３】
また、ねじりバネ９２の代わりに板バネを用いて揺動桿６を反時計回りに付勢しても良い。引張バネ９１の代わりに圧縮バネを用いても良いが、圧縮バネの場合には第１のスライダ４のバネ掛け部４１が第２のスライダ５のバネ掛け部５１よりも前にある。
【００４４】
また、ストッパ８５がローラガイド８に形成されているが、爪５２と係止可能であれば、シャーシ３の側板３２に形成されていても良い。また、ガイド７１は、シャーシ３に固定されたガイド板７に形成されているが、シャーシ３に直接形成されていても良い。
【００４５】
また、上記実施形態では、表示パネル２が起立した姿勢及び前倒した姿勢を維持するために、保持面８２及び水平保持面８４をローラガイド８に形成したが、他の姿勢を維持するために他の保持面をローラガイド８に形成し、摺動ローラ６１がその保持面に接した場合に摺動ローラ６１と連結軸６３を結ぶ線分Ｂがその保持面と平行となるようにしても良い。例えば、第１傾斜面８１を前後２つの傾斜面に分割し、それら２つの傾斜面を保持面で連ならせ、その保持面に摺動ローラ６１が接した場合に摺動ローラ６１と連結軸６３を結ぶ線分Ｂがその保持面と平行となるようすると、摺動ローラ６１がその保持面に接した場合に表示パネル２が後倒した姿勢を維持することができる。
【図面の簡単な説明】
【００４６】
【図１】表示パネルの表示面が上に向いた状態においる開閉装置の側面図である。
【図２】表示パネルの表示面が斜め上前方に向いた状態における開閉装置の側面図である。
【図３】表示パネルの表示面が前に向いた状態における開閉装置の側面図である。
【図４】表示パネルの表示面が斜め下前方に向いた状態における開閉装置の側面図である。
【図５】ローラガイドの拡大図である。
【図６】摺動ローラが保持面に接した状態における揺動桿とローラガイドを示した図面である。
【図７】摺動ローラが水平保持面に接した状態における揺動桿とローラガイドを示した図面である。
【図８】変形例のローラガイドと摺動ローラを示した図面である。
【図９】別の変形例のローラガイドと摺動ローラを示した図面である。
【図１０】別の変形例のローラガイドと摺動ローラを示した図面である。
【図１１】従来の表示パネルの開閉装置の側面図である。
【符号の説明】
【００４７】
１  開閉装置
２  表示パネル
３  シャーシ
４  第１のスライダ
６  揺動桿
８、８Ａ、８Ｂ、８Ｃ  ローラガイド
２２  表示面
６１  摺動ローラ
６３  連結軸
７１  ガイド
８１  第１傾斜面
８２  保持面
８３  第２傾斜面
８４  水平保持面
８４Ａ、８４Ｂ、８４Ｃ  保持面
９２  ねじりバネ
【図１】
2007106296.tif 000003
【図２】
2007106296.tif 000004
【図３】
2007106296.tif 000005
【図４】
2007106296.tif 000006
【図５】
2007106296.tif 000007
【図６】
2007106296.tif 000008
【図７】
2007106296.tif 000009
【図８】
2007106296.tif 000010
【図９】
2007106296.tif 000011
【図１０】
2007106296.tif 000012
【図１１】
2007106296.tif 000013